(57)【要約】【課題】ガラス面材を有する冷蔵庫の外観上の見栄えを良くして、ガラス面材が割れないように確実に固定することができる冷蔵庫を提供する。【解決手段】冷蔵庫１は、ガラス面材２０が表面に配置されている引出し式扉１０ａを有し、引出し式扉１０ａの前側に配置されている扉の構成体である例えば扉フレーム４０と、扉フレーム４０に固定され、ガラス面材２０の下側の端部４６を支持する第１支持部材４１を備える。【選択図】図２
2018105614.tif 000002
【特許請求の範囲】
【請求項１】
開口を有する本体と、前記開口を開閉する扉と、前記扉の表面に配置された前面板と、前記前面板の端部を支持する支持部材と、を有する冷蔵庫であって、
前記前面板の表側の下側の端部には斜面取り部が設けられ、
前記支持部材は前記斜面取り部の下端面部を支持することを特徴とする冷蔵庫。
【請求項２】
前記斜面取り部は下方向に向けて先細りになっていることを特徴とする請求項１記載の冷蔵庫。
【請求項３】
前記斜面取り部の前記前面板の表面方向の寸法と、前記斜面取り部の前記下端面部の厚み方向の寸法とが異なることを特徴とする請求項１又は２記載の冷蔵庫。
【請求項４】
前記斜面取り部の前記前面板の表面方向の寸法が、前記斜面取り部の前記下端面部の厚み方向の寸法に比べて大きいことを特徴とする請求項３記載の冷蔵庫。
【請求項５】
前記支持部材は前記斜面取り部の前記下端面部を全長に渡って受けて支持していることを特徴とする請求項１乃至４のいずれかに記載の冷蔵庫。
【請求項６】
前記支持部材は前記前面板の表面から突出しないことを特徴とする請求項１乃至５のいずれかに記載の冷蔵庫。
【請求項７】
前記扉は引出し式扉であることを特徴とする請求項１乃至６のいずれかに記載の冷蔵庫。
【請求項８】
前記前面板の裏面が、接着剤を介して前記支持部材の突出部に固定されることを特徴とする請求項１乃至７のいずれかに記載の冷蔵庫。
【発明の詳細な説明】
【技術分野】
【０００１】
本発明の実施の形態は、冷蔵庫に関する。
【背景技術】
【０００２】
従来、冷蔵庫は、観音扉や引出し式扉を有しており、これらの扉の正面には、ガラス面材が配置されているものがある。このガラス面材は、プラスチック製の扉部材に対して接着剤により固定されている（特許文献１を参照。）
【先行技術文献】
【特許文献】
【０００３】
【特許文献１】特開２０１１−５８７８７号
【発明の概要】
【発明が解決しようとする課題】
【０００４】
しかし、上記特許文献１において開示されている技術では、ガラス面材の端面が露出し、接着剤の経年劣化により、ガラス面材が剥がれや落下を起こすおそれがある。また、ガラス面材が両面テープにより固定されている場合には、同様にして、ガラス面材の端面が露出し、両面テープの経年劣化により、ガラス面材が剥がれや落下を起こすおそれがある。
【０００５】
ガラス面材が、上下キャップと左右のフレームの溝により挟持される場合には、溝の掛かり代分と上下キャップやフレームの肉厚分が、使用者からガラス面材の周囲の枠として見合える部分となるので、外観上厚く見え、見栄えが悪い。
【０００６】
また、ガラス面材の上辺や下辺をコ字型の金具で支えると、この金具がガラス面材の表面に露出して出っ張ってしまい、外観が悪化する。ガラス面材の４隅をネジで固定する場合には、ガラス面材に予めネジ穴を開ける必要があるが、ガラス面材の熱強化を行う際にネジ穴を開ける位置を決めることが難しく、しかもネジを締め過ぎてガラス面材が割れるおそれがある。
【０００７】
本発明は、上記に鑑みてなされたもので、その目的とするところは、ガラス面材を有する冷蔵庫の外観上の見栄えを良くして、ガラス面材が割れないように確実に固定することができる冷蔵庫を提供することにある。
【課題を解決するための手段】
【０００８】
本発明の実施の形態の冷蔵庫は、開口を有する本体と、前記開口を開閉する扉と、前記扉の表面に配置された前面板と、前記前面板の端部を支持する支持部材と、を有する冷蔵庫であって、前記前面板の表側の下側の端部には斜面取り部が設けられ、前記支持部材は前記斜面取り部の下端面部を支持することを要旨とする。
【図面の簡単な説明】
【０００９】
【図１】本発明の第１実施形態に係わる冷蔵庫の全体を示す斜視図である。
【図２】図１に示す冷凍室の引出し式扉のＤ−Ｄ線における断面図である。
【図３】図２の冷凍室の引出し式扉を矢印Ｇで示すように斜め下から見た斜視図である。
【図４】第１支持部材の形状を示す平面図である。
【図５】第１支持部材の右側の部分を、図４のＥ方向から見た斜視図である。
【図６】ガラス面材の上端部と下端部と第１支持部材と第２支持部材を示す図である。
【図７】本発明の第２実施形態を示す図である。
【図８】本発明のさらに別の実施形態を示す図である。
【発明を実施するための形態】
【００１０】
以下、図面を用いて、本発明の実施するための形態（以下、実施形態と称する）を説明する。
【００１１】
（第１実施形態）
図１は、本発明の第１実施形態に係わる冷蔵庫の全体を示す斜視図である。
【００１２】
図１に示す冷蔵庫１は、本体２を有している。この本体２の最上部の位置には、両開き式の左右の観音扉３，４で開閉される冷蔵室５を設けられている。これらの観音扉３，４は、それぞれ本体２の回転軸３Ａ，４Ａを中心にして開閉可能に取り付けられている。冷蔵室５の下側には、引出し式扉７ａで開閉される野菜室７が設けられている。
【００１３】
この野菜室７の下側には、製氷室８と、上部冷凍室９が横方向に並んで設けられている。製氷室８は引出し式扉８ａで開閉され、上部冷凍室９は引出し式扉９ａで開閉される。本体２の最下部であって、これらの製氷室８と上部冷凍室９の下側には、冷凍室１０が設けられている。冷凍室１０は引出し式扉１０ａで開閉される。
【００１４】
観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。
【００１５】
図１に示すように、観音扉３，４の外表面には、ガラス面材１３，１４がそれぞれ取付けられている。同様にして、引出し式扉７ａの外表面には、ガラス面材１７が取り付けられている。引出し式扉８ａ、引出し式扉９ａ、そして引出し式扉１０ａの外表面には、ガラス面材１８，１９，２０がそれぞれ取り付けられている。これらのガラス面材１３，１４，１７，１８，１９，２０は、冷蔵庫１の表面の美観を上げるために設けられており、例えば透明あるいは透光性を有するか、色が付けられているものでも良い。
【００１６】
図１に示す冷蔵庫１では、例えば観音扉３には操作部３０が配置されている。この操作部３０は、破線で示すように、ガラス面材１３の内側に配置されている。使用者が指でガラス面材１３の上から操作部３０に触れると、操作部３０の例えば静電容量型のタッチスイッチの検出部が指を検出する。これにより、例えば冷蔵庫１の急冷凍、急冷蔵、自動製氷装置等の機能を動作させることができる。ただし、この操作部３０は、配置しても良いし、配置しなくても良い。
【００１７】
図２は、図１に示す引出し式扉の表面側の断面構造例を示している。図２に例示するのは、例えば図１に示す冷凍室１０の引出し式扉１０ａのＤ−Ｄ線における断面を示している。しかし、図２に示す断面構造は、図１に示す引出し式扉１０ａに限らず、野菜室７の引出し式扉７ａ、製氷室８の引出し式扉８ａ、上部冷凍室９の引出し式扉９ａにも適用できる。
【００１８】
以下の説明では、冷凍室１０の引出し式扉１０ａの構造例を代表して説明する。
【００１９】
図２に示すように、冷凍室１０の引出し式扉１０ａは、ガラス面材２０と、扉の構成体としての扉フレーム４０と、第１支持部材４１と第２支持部材４２と、扉内側部４３を有している。扉フレーム４０は、引出し式扉１０ａの前側に配置されており、扉フレーム４０は、上部フレーム部分４０Ａと、下部フレーム部分４０Ｂと、左右の側部フレーム部分４０Ｃを有している。
【００２０】
板状のガラス面材２０は、第１支持部材４１と第２支持部材４２の間において、Ｚ方向（上下方向）に沿って支持して固定されている。第１支持部材４１は、例えば金属製の部材である。第１支持部材４１は、ガラス面材２０の下側の端部４６を受けて支持するための部材である。
【００２１】
第１支持部材４１は、下部フレーム部分４０Ｂの下面に対してＸ方向に沿って配置され、２本のネジ３８を用いて下部フレーム部分４０Ｂの下面４０Ｄに固定されている。この第１支持部材４１は、Ｘ方向に沿って細長く形成されている部材であり、第１支持部材４１は、ガラス面材２０の下側の端部４６の全長に渡って受けて支持することができる。
【００２２】
一方、図２に示す第２支持部材４２は、金属やプラスチックにより作られている。第２支持部材４２は、ガラス面材２０の上側の端部４５を受けて支持するための部材である。第２支持部材４２は、上部フレーム部分４０Ａの下面４０Ｆに対してＸ方向に沿って配置され、ネジ３９を用いて上部フレーム部分４０に固定されている。第２支持部材４２は、Ｘ方向に沿ってガラス面材２０の上側の端部４５の全長に渡って受けて支持している。
【００２３】
図２に示すように、扉内側部４３と扉フレーム４０は、プラスチック製である。扉フレーム４０は、上部フレーム部分４０Ａと下部フレーム部分４０Ｂと左右の側部フレーム部分４０Ｃを有しており、引出し扉１０ａの前側に配置されている。扉内側部４３は、冷凍室１０の庫室内３３内においてＹ方向に突出しており、扉内側部４３は、上側の突出部分４３Ａと下側突出部分４３Ｂと内壁部分４３Ｃを有している。
【００２４】
ガラス面材２０の内面２１は、ガラス面材２０よりも内側にある断熱材が外から見えないようにするために、例えば好ましくは塗装が施されている。真空断熱材２３が、ガラス面材２０の内面２１と扉内側部４３の内壁部分４３Ｃと、第２支持部材４２と下部フレーム部分４０Ｂの間に形成されている空間２２に配置されている。真空断熱材２３の断熱性能は、発泡ポリウレタン材の断熱性能に比べて高いので、真空断熱材２３を断熱材として用いることで、引出し式扉１０ａが形成するＹ方向の厚みを小さくできる。引出し式扉１０ａの厚みを小さくすることで、冷蔵庫の外箱のサイズを維持したままで冷蔵庫の内箱内の容積を増やせるので、冷蔵庫の収容能力を上げることができる。
【００２５】
これに対して、扉フレーム４０の上部フレーム部分４０Ａと下部フレーム部分４０Ｂの内部空間４０Ｆ、４０Ｇには、それぞれ断熱材としての発泡ポリスチレン（ＥＰＳ）２４がそれぞれ配置されている。
【００２６】
図２に示すように、扉フレーム４０の上部フレーム部分４０Ａには、Ｚ方向の下方向に沿って突出部４９Ｒが設けられている。この突出部４９Ｒは、第２支持部材４２を通ってガラス面材２０の内面２１の上部位置にまで達している。一方、扉フレーム４０の下部フレーム部分４０Ｂには、Ｚ方向の上方向に沿って突出部４９Ｓが設けられている。
【００２７】
ガラス面材２０の内面２１は、突出部４９Ｒ、４９Ｓに対して接着剤２５，２６により接着されている。接着剤２５，２６は、例えばホットメルト接着剤であり、ガラス面材２０が突出部４９Ｒ、４９Ｓに対して固定されていることで、これにより、ガラス面材２０が脱落するのを防止している。
【００２８】
図２に示すように、ガラス面材２０は、上側の端部４５と、下側の端部４６を有している。上側の端部４５は、斜面取り部４５Ａと、上端面部４５Ｂを有している。図６に例示するように、上側の端部４５の斜面取り部４５Ａのガラスの表面方向（Ｚ方向）の寸法Ａが、ガラス面材２０の上側の端部４５の上端面部４５Ｂ厚み方向の寸法Ｂに比べて、大きくなるようにカットされている。
【００２９】
同様にして、図６に例示するように、下側の端部４６は、斜面取り部４６Ａと、下端面部４６Ｂを有している。下側の端部４６の斜面取り部４６Ａのガラスの表面方向（Ｚ方向）の寸法Ａが、ガラス面材２０の下側の端部４６の下端面部４６Ｂの厚み方向の寸法Ｂに比べて、大きくなるようにカットされている。すなわち、第１支持部材４１が受けているガラス面材２０の下側の端部４６は、ガラス面材２０の表面側に下方向に向けて先細りになる斜面取り部４６Ａを有し、この斜面取り部４６Ａでは、ガラス面材２０の下側の端部４６のガラス面材２０の表面方向の寸法Ａが、ガラス面材２０の下側の端部４６の厚み方向の寸法Ｂに比べて大きくなるように、形成されている
次に、図２を参照して、第１支持部材４１と第２支持部材４２の構造をさらに詳しく説明する。
【００３０】
図３は、図２の冷凍室１０の引出し式扉１０ａを矢印Ｇで示すように斜め下から見た斜視図である。図４は、第１支持部材４１の形状を示す平面図である。図５は、第１支持部材４１の右側の部分を、図４のＥ方向から見た斜視図である。
【００３１】
まず、図２に示す第１支持部材４１の構造例を説明する。
【００３２】
図３と図４に示すように、第１支持部材４１は、例えば金属製の細長い長尺の部材である。第１支持部材４１は、図２と図３に示すように、扉フレーム４０の下部フレーム部分４０Ｂに対して、２本のネジ３８によりＸ方向に沿って固定されている。このように、第１支持部材４１は、下部フレーム部分４０Ｂに対して、２本のネジ３８を用いて固定していても、ネジ３８は下部フレーム部分４０Ｂにあるので、ネジ３８を使用しても冷蔵庫の使用者はこれらのネジ３８を見ることは無いので、引き出し扉１０ａの外観を損なわない。
【００３３】
この第１支持部材４１は、図４に示すように、長尺部材である本体部５０と、２つの取付け部５１，５２を有している。２つの取付け部５１，５２は、間隔をおいて配置されており、それぞれネジ３８を通すためのネジ穴３７を有している。
【００３４】
本体部５０は、図５と図６に示すように、下側の端部４６の斜面取り部４６Ａと下端面部４６Ｂを受けて支持するための受け部５５を有している。この受け部５５は、斜面取り部４６Ａを受ける斜面受け部分５５Ａと、下端面部４６Ｂを受ける下端受け部分５５Ｂを有している。受け部５５の斜面受け部分５５Ａは、ガラス面材２０の斜面取り部４６Ａを受けて支持でき、受け部５５の下端受け部分５５Ｂは、ガラス面材２０の下端面部４６Ｂを受けて支持することができる。
【００３５】
従って、ガラス面材２０は、この第１支持部材４１を用いることで、図２に示すＺ方向と、Ｙ方向とＸ方向について移動しないように固定できる。しかも、本体部５０の表面５５Ｃは、ガラス面材２０の表面２９と、Ｃ方向から見て形状が連続しているように、すなわち面一になっている。これにより、図２と図６に示すガラス面材２０の表面２９と、ガラス面材２０の脱落防止用の第１支持部材４１の本体部５０の表面５５Ｃが同じ面で収まるので、外観上の収まりが良い。しかも、第１支持部材４１が脱落防止用の枠として見える部分の厚みが薄く見えるために、引出し式扉１０ａは外観の優れた扉になる。なお、ガラス面材２０の表面２９よりも後ろに支持部材を配置して変化を持たせても良い。
【００３６】
次に、図２に示す第２支持部材４２の構造例を説明する。
【００３７】
第２支持部材４２は、扉フレーム４０の上部フレーム部分４０Ａと、ガラス面材２０の上側の端部４５の間に配置されている。第２支持部材４２は、受け部６０と、取付け部６１を有している。取付け部６１は、この受け部６０の後ろ側にＹ方向に延長して形成されている。取付け部６１は、複数のネジ３９を用いて、上部フレーム部分４０Ａに対して固定されている。上部フレーム部分４０Ａには、凹状の取っ手１０ｂが設けられている。
【００３８】
図２に示すように、第２支持部材４２の受け部６０は、ガラス面材２０の上側の端部４５をＸ方向に沿って受けて支持している。第２支持部材４２の受け部６０は、ガラス面材２０の斜面取り部４５Ａを受ける斜面受け部分６０Ａと、ガラス面材２０の上端面部４５Ｂを受ける上端受け部分６０Ｂを有している。ガラス面材２０の斜面取り部４５Ａは、斜面受け部分６０Ａにより支持され、ガラス面材２０の上端面部４５Ｂは、上端受け部分６０Ｂにより支持されている。
【００３９】
これにより、ガラス面材２０の上側の端部４５は、第２支持部材４２の受け部６０により、受けて支持されている。従って、ガラス面材の上側の端部４５は、Ｚ方向とＹ方向とＸ方向に移動しないように固定できる。
【００４０】
しかも、図２に示すように、受け部６０の曲面の表面６６は、ガラス面材２０の表面２９からは前側に突出してはいるが、受け部６０の曲面の表面６６は、上部フレーム部分４０Ａの表面４０Ｒと、Ｄ方向から見て形が連続しているように、すなわち面一になっている。これにより、受け部６０の曲面の表面６６と上部フレーム部分４０Ａの表面４０Ｒとが同じ面で収まるので、外観上の収まりが良く、引出し式扉１０ａは外観の優れた扉になる。
【００４１】
図２に示す扉の一例である引出し扉１０ａでは、第１支持部材４１は、引出し扉１０ａの下部にあり、使用者が直接目に入る位置にあるので、第１支持部材４１とガラス面材２０の表面２９は、形が連続している、すなわち面一に設定されている。これに対して、第２支持部材４２は、引出し扉１０ａの上部にあり、使用者が直接目に入る位置ではないので、第２支持部材４２の受け部６０は、ガラス面材２０の表面２９よりも前方に突出した状態にすることで、ガラス面材２０を押さえ込んでいる。ただし、第２支持部材４２の受け部６０と、上部フレーム部分４０Ａの取っ手１０ｂの表面４０Ｒとは、形が連続している、すなわち面一になるようにしている。これにより、引出し扉１０ａの下部と上部の外観上の見栄えを良くしている。
【００４２】
（第２実施形態）
図７は、本発明の冷蔵庫の第２実施形態を示している。
【００４３】
図７に示す第２実施形態では、第１支持部材４１Ｓの形状は、図２に示す第１支持部材４１の形状と実質的に同じであるので、その説明を援用する。扉フレームの下部フレーム部分４０Ｂには、開口部６７が設けられている。この開口部６７には、第１支持部材４１Ｓの本体部５０の一部分をＹ方向に通すことにより、第１支持部材４１Ｓの突起部７０が下部フレーム部分４０Ｂの内面７１に当接される。これにより、第１支持部材４１Ｓでは、ガラス面部２０の下側の端部４６は、本体部５０の受け部５５と、下部フレーム部分４０Ｂの間で支持することができる。
【００４４】
（他の実施形態）
図８（Ａ）から図８（Ｃ）は、ガラス面部２０の下側の端部４６の他の形状例を示している。
【００４５】
図８（Ａ）から図８（Ｃ）に示すガラス面部２０の下側の端部４６は、段部形成部分８０Ａから８０Ｃを有している。
【００４６】
図２に示すガラス面部２０の下側の端部４６の段差形成部分は、斜面取り部４６Ａと、下端面部４６Ｂを有する直線型のものである。
【００４７】
図８（Ａ）に示す段部形成部分８０Ａでは、直線型の凹部４６Ｃと、下端面部４６Ｂを有する直線型のものである。図８（Ｂ）に示す段部形成部分８０Ｂでは、曲線状の凹部４６Ｄと、下端面部４６Ｂを有する凹型のものである。図８（Ｃ）に示す段部形成部分８０Ｃでは、曲線状の凸部４６Ｅと、下端面部４６Ｂを有する凸型のものである。
【００４８】
上述したように、図２に示す本発明の実施形態の冷蔵庫１では、例えば引出し式扉１０ａはその表面側にガラス面材１０ａを有している。このガラス面材１０ａの下側の端部４６の斜面取り部４６Ａと下端面部４６Ｂは、第１支持部材４１の本体部５０の受け部５５に差し込んで受ける。しかも、ガラス面材１０ａの斜面取り部４５Ａと上端面部４５Ｂは、第２支持部材４２の斜面受け部分６０Ａと上端受け部分６０Ｂにより受けている。これにより、第１支持部材４１と第２支持部材４２は、ガラス面材１０ａを、Ｘ、Ｙ、Ｚ方向にずれないように支持している。
【００４９】
図２に示すように、本体部５０の表面５５Ｃは、ガラス面材２０の表面２９と、Ｃ方向から見て形が連続しているように、すなわち面一になっている。これにより、ガラス面材２０の表面２９と、ガラス面材２０の脱落防止用の第１支持部材４１の本体部５０の表面５５Ｃが同じ面で収まるので、外観上の収まりが良い。しかも、第１支持部材４１が脱落防止用の枠として見える部分の厚みが薄く見えるために、引出し式扉１０ａは外観の優れた扉になる。
【００５０】
また、第２支持部材４２の受け部６０は、ガラス面材１０ａの斜面取り部４５Ａを覆い被せるようにしており、受け部６０の曲面の表面６６は、上部フレーム部分４０Ａの表面４０Ｒと、Ｄ方向から見て形が連続しているように、すなわち面一になっている。これにより、受け部６０の曲面の表面６６と上部フレーム部分４０Ａの表面４０Ｒとが同じ面で収まるので、外観上の収まりが良く、引出し式扉１０ａは外観の優れた扉になる。
【００５１】
もし、図２に示す接着剤２５，２６が経年劣化した場合であっても、ガラス面材２０は、第１支持部材４１と第２支持部材４２により支持されているので、ガラス面材２０は、地震等の万が一の場合があっても、落下を防ぐことができる。
【００５２】
本発明の実施形態の冷蔵庫１は、ガラス面材２０が表面に配置されている扉の前側に配置されている扉の構成体としての例えば扉フレーム４０と、扉フレーム４０に固定され、ガラス面材２０の下側の端部４１の表面２９側の一部分を含めてガラス面材２０の下側の端部４６を支持する支持部材（第１支持部材４１）と、を備える。これにより、第１支持部材４１を扉フレーム４０に固定すると、第１支持部材４１がガラス面材２０の下側の端部４６の表面２９側の一部分を含めてガラス面材２０の下側の端部４６を支持するので、ガラス面材を有する冷蔵庫１の外観上の見栄えを良くして、ガラス面材２０が割れないように確実に固定することができる。
【００５３】
第１支持部材４１は、ガラス面材２０の下側の端部４６を受けるための受け部５５を有する。これにより、第１支持部材４１の受け部５５は、ガラス面材２０の下側の端部４６を確実に受けて支持することができる。
【００５４】
第１支持部材４１の受け部の表面５５Ｃとガラス面材２０の表面２９は、連続している（面一である）。これにより、第１支持部材４１の受け部５５の表面とガラス面材２０の表面が連続しているので、扉１０ａにおける外観上の段差が無くなり、外観上の見栄えが良くなる。
【００５５】
扉１０ａの上側には、ガラス面材の表面からは前方に突出され扉を開閉するための取っ手１０ｂが設けられ、支持部材を第１支持部材４１とし、第１支持部材４１とは別の第２支持部材４２が、ガラス面材２０の上側の端部４５と取っ手１０ｂとの間に介在され、第２支持部材４２の表面６６は、扉１０ａの前方に突出している。これにより、ガラス面材２０の上側の端部４５は、第２支持部材４２により確実に支持できる。
【００５６】
取っ手１０ｂの表面４０Ｒと第２支持部材４２の表面６６は、連続している（面一である）。これにより、扉１０ａにおける外観上の段差が無くなり、外観上の見栄えが良くなる。
【００５７】
取っ手１０ｂとガラス面材２０の上側の端部４５との隙間には、第２支持部材４２が挿入して係合されている。これにより、第２支持部材４２は確実に固定でき、第２支持部材４２は、ガラス面材２０の上側の端部４５を支持できる。
【００５８】
第１支持部材４１は、扉１０ａの構成体である扉フレーム４０の下側フレーム４０Ｂに対して固定手段である例えばネジ３８を用いて，固定されている。これにより、第１支持部材４１は、扉フレーム４０に確実に固定できる。ネジ３８を用いても、冷蔵庫の使用者にはネジ３８は見えないことから、扉の外観を損なうことは無い。もし、このネジが、引出し扉１０ａの扉フレーム４０の下部フレーム部分４０Ｂの内面、すなわち引出し扉１０ａの内側に取り付けると、使用者が引出し扉１０ａを引き出した場合に、ネジが直接見えてしまうので好ましくない。このため、ネジ３８は、第１支持部材４１を固定するために、下面側から上向きに取り付けることで、ネジ３８が使用者には直接見えないようにしている。
【００５９】
ガラス面材２０の下側の端部４１は、図８に例示するように、直線型、凹型あるいは凸型、さらには角部分に丸みを持たせた段部形成部分を有する。これにより、ガラス面材２０の下側の端部４１はいくつかの候補から任意の形状を採用できる。
【００６０】
図２に示すように、ガラス面材２０の下側の端部４１の表面２９側には、下方向に向けて先細りになる斜面取り部５５Ａを有し、図６に示すように、斜面取り部５５Ａのガラス面材２０の表面方向の寸法Ａが、ガラス面材２０の下側の端部４１の厚み方向の寸法Ｂに比べて大きく（Ａ＞Ｂ）なるように、形成されている。これにより、斜面取り部５５Ａが第１支持部分４１に当接することができる表面積が、より大きく確保できるので、ガラス面材２０が第１支持部材４１から脱落しないようにより確実に支持することができる。
【００６１】
なお、扉内部には、流動性の発泡ウレタンを設けることなく、真空断熱材だけで断熱手段しているが、成型品の発泡スチロールの断熱手段やシール手段を内部に備えても良い。また、一部のみに発泡ウレタンを用いていても良い。また、支持部材は、第１、第２のうち少なくとも１つあれば良く、例えば第１の支持部材４１は、扉フレーム４０と一体であっても良い。また前記支持部材と前面板は、同一の表面処理、例えば塗装や模様が施されていても良い。
【００６２】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６３】
図１に示す冷蔵庫１の構造は、一例であり、任意の構造を採用することができる。
【００６４】
図２に示すように、本発明の実施形態では、図２に示すように、細長く形成されている第１支持部材４１は、下部フレーム部分４０Ｂに対して、例えば２本のネジ３８を用いて固定している。しかし、これに限らず、第１支持部材４１は、ネジ３８以外に、接着剤による接着、粘着テープによる固定、はめ込みによる固定等の固定手段を用いて、扉フレーム４０の下部フレーム部分４０Ｂに固定することができる。扉の構成体は、図２に示す例えば扉フレーム４０以外の他の構造であっても良い。
【００６５】
なお、取っ手１０ｂの表面４０Ｒに連続する第２支持部材４２の表面は、取っ手１０ｂの表面４０Ｒよりもガラス面材２０の表面２９側にあっても良い。
【符号の説明】
【００６６】
１      冷蔵庫
２      本体
３      観音扉
５      冷蔵室
１０    冷凍室
１０ａ  引出し式扉（扉の例）
１０ｂ  取っ手
２０    ガラス面材
３８    ネジ（固定手段）
４０    扉フレーム（扉の構成体）
４１    第１支持部材
４２    第２支持部材
４５    ガラス面材の上側の端部
４６    ガラス面材の下側の端部
４６Ａ  下側の端部の斜面取り部
５５    第１支持部材の受け部
８０Ａから８０Ｃ  段部形成部分
【図１】
2018105614.tif 000003
【図２】
2018105614.tif 000004
【図３】
2018105614.tif 000005
【図４】
2018105614.tif 000006
【図５】
2018105614.tif 000007
【図６】
2018105614.tif 000008
【図７】
2018105614.tif 000009
【図８】
2018105614.tif 000010